(57)【特許請求の範囲】
【請求項１】
写真フィルムに記録された画像を撮像する撮像装置であって、
前記写真フィルムの最も光透過率の高い部分を撮像しても飽和しない条件に設定され、前記画像を、画像信号として必要な濃度分解能であって写真フィルムの全濃度領域のうちプリントで必要となる所定のレンジ幅のみの画像信号を得るときの濃度分解能よりも高い濃度分解能でかつ写真フィルムの全濃度領域のダイナミックレンジに広げて撮像する撮像手段と、
前記撮像手段によって得られる全画像信号を記憶する画像メモリと、
前記画像メモリに記憶された画像信号のうちの使用する所定のレンジ幅を決定する決定手段と、
前記画像メモリから前記決定手段によって決定したレンジ幅内の画像信号を取り出す信号取出手段と、
を備えた撮像装置。
【請求項２】
前記画像メモリが複数のフレームメモリで構成され、前記決定手段による先のフレームメモリに記憶された画像信号についての使用レンジ幅の決定と並行して次の画像の撮像を行うことを特徴とする請求項１記載の撮像装置。
【請求項３】
前記信号取出手段によって取り出された画像信号に濃度値を割り付ける割り付け手段を更に有し、該濃度割り付け手段は、ルックアップテーブルによることを特徴とする請求項１又は請求項２記載の撮像装置。
【発明の詳細な説明】
【０００１】
【発明の属する技術分野】
本発明は写真フィルムに記録された画像を撮像する撮像装置に関する。
【０００２】
【従来の技術】
従来より、写真フィルムを透過した光による画像を撮像装置によって読み取って画像信号に変換し、変換された画像信号に基づいてプリントを行う所謂デジタルプリントに関する技術が提案されている。また、上記デジタルプリント以外にも写真フィルムに記録された画像を評価して、プリント時の露光条件を設定等するために、写真フィルムの画像を撮像してＣＲＴ等のモニタに表示する画像表示装置が利用されている。
【０００３】
ところで、写真フィルムに記録された画像をＣＲＴ等のモニタに表示したり、プリントする場合、撮像した画像によっては、あとで濃度を変えたり、ガンマを変えた方が良い結果が得られることがある。例えば写真フィルムに記録された画像の濃度が高いと写真フィルムの透過光量ひいては撮像装置の出力信号レベルが低下し、表示画像あるいはプリント画像が劣化する一方、画像濃度が低いと撮像装置の出力信号が飽和し、良好な画像が得られなくなる。
【０００４】
このように撮像した画像の濃度等が不適切な場合、従来では、写真フィルムへ照射する光源の光量など条件を変えて再度撮像を行うことにより、適性なレベルの画像信号を得るようにしていた。
【０００５】
【発明が解決しようとする課題】
しかしながら、前述した方法では、撮像した画像の濃度等が不適切な場合、一度撮像した画像を再度条件を変えて撮像するため、画像の撮像に時間がかかる、という問題がある。
【０００６】
本発明は上記事実を考慮して成されたもので、写真フィルムに記録された画像を高速で撮像できる撮像装置を得ることが目的である。
【０００７】
【課題を解決するための手段】
上記目的を達成するために請求項１記載の発明は、写真フィルムに記録された画像を撮像する撮像装置であって、前記写真フィルムの最も光透過率の高い部分を撮像しても飽和しない条件に設定され、前記画像を、画像信号として必要な濃度分解能であって写真フィルムの全濃度領域のうちプリントで必要となる所定のレンジ幅のみの画像信号を得るときの濃度分解能よりも高い濃度分解能でかつ写真フィルムの全濃度領域のダイナミックレンジに広げて撮像する撮像手段と、前記撮像手段によって得られる全画像信号を記憶する画像メモリと、前記画像メモリに記憶された画像信号のうちの使用する所定のレンジ幅を決定する決定手段と、前記画像メモリから前記決定手段によって決定したレンジ幅内の画像信号を取り出す信号取出手段と、を備えている。
【０００８】
請求項１記載の発明では、写真フィルムに記録された画像が撮像手段によって撮像される。この際、写真フィルムの最も光透過率（薄い）部分を撮像しても飽和しない条件に設定され、撮像手段のダイナミックレンジは写真フィルムの最も濃い部分から薄い部分までの全領域とされる。このため撮像手段より得られる全画像信号が画像メモリに記憶される。また撮像手段では、写真フィルムに記録された画像を画像信号として必要な濃度分解能より高い濃度分解能で撮像することにより、画像信号の小さな変化も明確に識別できる。決定手段では、画像メモリに記憶された画像信号のうち使用する所定のレンジ幅が決定される。信号取出手段では、決定されたレンジ幅内に存在する画像信号が画像メモリから取り出される。
【０００９】
上記では、撮像手段のダイナミックレンジを広げると共に写真フィルムの画像を濃度分解能を高めて撮像して画像メモリに画像信号を記憶する一方、画像メモリに記憶された画像信号のうち使用する所定のレンジ幅の画像信号を画像メモリから取り出すので、撮像した画像濃度等にかかわらず、所定のレンジ幅の画像信号を取り出して、画像の表示又はプリント等を行える。このため、撮像した画像の濃度等が不適切な場合でも再度条件を変えて撮像を行う必要がなく、画像の撮像を速やかに行える。
【００１０】
請求項２記載の発明は、請求項１記載の発明において、前記画像メモリが複数のフレームメモリ、すなわち画像単位で画像信号を記憶する領域群で構成され、先のフレームメモリに記憶された画像信号に対する使用レンジ幅の決定と並行して次の画像の撮像を行うことを特徴としている。
【００１１】
請求項２記載の発明では、先のフレームメモリに記憶された画像信号に対する使用レンジ幅の決定と並行して次の画像の撮像を行うので、写真フィルムに記録された複数の画像を、オペレータ等による使用レンジ幅の判断等によらず迅速に撮像できる。
【００１２】
請求項３記載の発明は、請求項１又は請求項２記載の発明において、前記信号取出手段によって取り出された画像信号に濃度値を割り付ける割り付け手段を更に有し、該濃度割り付け手段はルックアップテーブルによることを特徴としている。
【００１３】
請求項３記載の発明では、画像メモリから取り出された画像信号にルックアップテーブルを用いて濃度を割り付けるので、画像濃度が低い場合でも画像信号に正確かつ簡単に濃度を割り付けて、画像の表示又はプリント等を良好に行うことができる。
【００１４】
【発明の実施の形態】
（第１の実施の形態）
以下、図面を参照して本発明の第１の実施の形態を詳細に説明する。
【００１５】
図１には、本発明の撮像装置が適用される写真焼付装置１０が示されている。写真焼付装置１０は、ネガフィルムに記録された画像を印画紙等の記録材料に焼付ける画像焼付部１０Ａと、前記画像を読み取って画像データに変換し、変換された画像データに基づいて画像を表示したり、所謂インデックス画像の焼付け等を行う画像処理部１０Ｂと、から構成されている。画像焼付部１０Ａには、ネガフィルム１２を搬送して所定の画像コマを焼付位置に位置決めするネガキャリア１４が設けられている。ネガキャリア１４の上方には、ハロゲンランプ等から成る白色光源１６、調光フィルタ１８及び拡散ボックス２０が順に配置されており、白色光源１６から射出した光を調光フィルタ１８でＲＧＢ各色光の光量を調整した後、拡散ボックス２０によってネガフィルム１２に一様に照射する。ネガキャリア１４の下方には、結像レンズ系２４、ブラックシャッタ２６及び印画紙２８が順に配置されており、ネガフィルム１２を透過した光による画像が結像レンズ系２４によって印画紙２８上に結像される。
【００１６】
前記ネガフィルム１２及び結像レンズ２４間の焼付光路Ｙ中にはハーフプリズム等から成る第１の光分岐部材２２が配置されており、ネガフィルム１２を透過してきた光の一部を反射させて焼付光路Ｙから分岐する。第１の光分岐部材２２によって分岐（反射）される光の光路上には、レンズ３０及び第２の光分岐部材３２が順に配置され、第１の光分岐部材２２で分岐した光を更に２方向に分岐する。
【００１７】
第２の光分岐部材３２によって分岐（反射）される一方の光の光路上には、二次元ＣＣＤ撮像素子（以下「ＣＣＤ」という）３８が配置されており、ネガフィルム１２の透過光による画像が第１の光分岐部材２２、レンズ３０及び第２の光分岐部材３２を通ってＣＣＤ３８上に結像される。ここで、ＣＣＤ３８は、通常ダイナミックレンジが狭く、最良の画像データを得るためには、ネガフィルム１２に記録された画像毎の濃度域を認識して、ダイナミックレンジをシフトする必要がある。しかし、本実施の形態では、ネガフィルム１２の最も透過光量が大きい部位（ベース濃度域）の検出時でも飽和しないように感度を設定し、実質的にダイナミックレンジを広げている。この場合、濃度変化に対する出力信号の変化度合いが小さくなるが、後述する演算制御部４６において濃度分解能を高めてＣＣＤ３８の出力信号を処理することで、濃度変化を明確に識別できるようにしている。
【００１８】
ＣＣＤ３８は、ネガフィルム１２の透過画像を多数の領域（画素）に分割しかつＲＧＢの３色に分解して濃度を測定し、測定した濃度に応じた信号を画像信号として出力端より出力する。ＣＣＤ３８の信号出力端側には、増幅器２４０及びＡ／Ｄ変換器４２を介して画像メモリ４４が接続されている。増幅器４０はＣＣＤ３８から出力される画像信号を所定の増幅率で増幅する。Ａ／Ｄ変換器４２は、増幅器４０で増幅された画像信号を量子化し、画像メモリ４４に記憶する。画像メモリ４４は、複数のフレームメモリであり、ＣＣＤ３８で撮像された１画像分の画像信号を記憶する。
【００１９】
前記第２の光分岐部材３２によって分岐（透過）される他方の光の光路上には、ＭＯＳ撮像素子、ホトダイオード等から成る濃度測定用センサ３４が配置されており、ネガフィルム１２の透過光が第１の光分岐部材２２、レンズ３０及び第２の光分岐部材３２を通って濃度測定用センサ３４で受光される。濃度測定用センサ３４には濃度測定部３６を介して演算制御部４６が接続されており、濃度測定用センサ３４で受光された光量に対応する信号が濃度測定部３６で画像の積算透過濃度（ＬＡＴＤ）を表す信号に変換されて演算制御部４６に取り込まれる。演算制御部４６は、ＣＰＵ４６Ａ、ＲＯＭ４６Ｂ、ＲＡＭ４６Ｃ、ＶＲＡＭ４６Ｄ及び入出力インターフェース（Ｉ／Ｆ）４６Ｅを備えており、これらはバス４６Ｆを介して相互に接続されている。
【００２０】
演算制御部４６の入出力Ｉ／Ｆ４６Ｅには、オペレータが各種データやコマンド等を入力するためのキーボード２５４が接続されている。演算制御部４６は、濃度測定部３６で測定された画像の濃度値（ＬＡＴＤ）と、キーボード５４から入力されたデータとに基づいてプリント時の露光補正値を求め、求めた露光補正値に基づいて調光フィルタ１８及びブラックシャッタ２６を制御して画像の焼付けを行う。
【００２１】
また、演算制御部４６の入出力Ｉ／Ｆ４６Ｅには、画像メモリ４４が接続されている。演算制御部４６は、前記濃度測定部３６からの濃度値及びキーボード５４からのデータ等に基づき、後述するＣＲＴ等に表示する画像の濃度レンジ（階調範囲）を決定し、決定した濃度レンジ内に存在する画像信号を画像メモリ４４から取り込む。そして、取り込まれた画像信号に濃度値（明るさ）を割り付けて外部記憶装置２５２に記憶する。
【００２２】
また、演算制御部４６の入出力Ｉ／Ｆ４６Ｅには、画像表示装置としてのＣＲＴ５６、インデックスプリントを含むプリントを行うデジタルプリント部５８が接続されており、外部記憶装置５２に記憶された画像信号が所定の信号処理されて出力されることにより画像の表示あるいはプリントが行われる。
【００２３】
次に本第１の実施形態の作用を説明する。
ネガフィルム１２に記録された画像をコマ毎に印画紙２８へ焼付ける場合、オペレータは、まず現像済のネガフィルム１２をネガキャリア１４にセットした後、キーボード５４上で所定のキー操作を行う。キーボード５４の所定のキーが操作されると、図２に示す測光ルーチンが実行される。
【００２４】
図２のフローチャートを参照して測光ルーチンを説明する。なお、前提として、ＣＣＤ３８の感度を、ネガフィルム１２のベース濃度部位（最低濃度の部位）の透過光がＣＣＤ３８に入射されても飽和しない感度に設定する。ステップ１００ではネガフィルム１２を搬送し、ネガフィルム１２の先頭側の画像コマを焼付位置に位置決めする。次のステップ１０２では位置決めされた画像の測光を行う。すなわち、白色光源１６を点灯させて位置決めされた画像に光を照射し、画像を透過した光を第１及び第２の光分岐部材２２、３２等によって濃度測定用センサ３４に導くと共に、ＣＣＤ３８上に結像させて読み取る。このとき、ＣＣＤ３８で画像を撮像して得られる画像信号は飽和することなく、増幅器４０及びＡ／Ｄ変換器４２を介して画像メモリ４４に記憶される。この場合の画像信号は、濃度変化に対する変化度合が小さくなっているものの、全てのネガフィルム１２（アンダー、ノーマル、オーバー、スーパーオーバ）に対して確実に読み取ることができる。
【００２５】
ステップ１０４では、濃度測定部３６から測光した画像の濃度値を取込み、取り込んだ信号をＲＡＭ４６Ｃ等のメモリに記憶する。
【００２６】
次のステップ１０６では、前記取り込んだ画像の濃度値に基づいて画像の最適化処理を行う。すなわち、前記画像の濃度値に基づいて画像焼付時の露光補正値を演算し、予め設定された基準露光条件を露光補正値で補正して適性な露光条件を決定すると共に、画像メモリ４４から、対応する１画面分の画像信号を取込んで前記露光補正値に基づいて濃度及び色バランスを修正し、修正後の画像信号に基づいてＣＲＴ５６に画像を表示する。
【００２７】
ステップ１０８では、画像メモリ４４に記憶された画像信号の濃度レンジ（階調）のうち、実際のプリント又は表示に使用する濃度レンジ幅を決定する。前記濃度レンジ幅の決定は、図３に示すように、測定された画像の濃度値Ｄ0 を中心とし画像表示又はプリントで必要となる所定の階調数を含んだ範囲として決定される。なお、前記ＣＲＴ５６に表示された画像をオペレータが検定することによって、キーボード５４を通じて入力される濃度補正値を加味することが好ましい。
【００２８】
ステップ１１０では、前記決定した濃度レンジ幅Ｈ内に存在する画像信号を画像メモリ４４から取り込む（図３（Ｂ））。次のステップ１１２では、取り込んだ画像信号に濃度値（明るさ）を割り付ける。すなわち、ネガフィルム１２に記録された画像の濃度が薄い場合でも、ＣＣＤ３８の各画素が飽和することがないようＣＣＤ３８の感度を設定しているため、ＣＣＤ３８から出力される信号レベルの変化量は小さく、そのまま表示又はプリントしても良好な濃度の画像等を得ることができない。このため、ステップ１１２では、画像メモリ４４から取り込まれた画像信号の階調に応じて濃度値を割り付ける。
【００２９】
なお、前記濃度値の割り付けは、予めＲＯＭ４６Ｂに記憶されたルックアップテーブル（図示せず）を用いて行われる。ルックアップテーブル（以下「ＬＵＴ」という）には、ＣＣＤ３８から得られる画像信号の階調と、割り付けるべき濃度値との関係が予め定められており、前記画像メモリ４４から画像信号が取り込んまれると画像信号の階調に対応した濃度値が自動的に設定される。
【００３０】
ステップ１１４では、前記濃度値が割り付けられた画像信号を外部記憶装置５２に記憶してルーチンを終了する。
【００３１】
以上のように本実施の形態では、ＣＣＤ３８のダイナミックレンジを広げると共に読み取り濃度分解能を高めてネガフィルム１２の画像を撮像し、撮像によって得られた画像信号を画像メモリ４４に記憶し、記憶した画像信号のうち表示あるいはプリントに必要な所定のレンジ幅の画像信号を画像メモリ４４から取り出すので、撮像した画像の濃度等が不適切な場合でも再度条件を変えて撮像を行う必要がなく、画像の表示又はプリント等を行える。すなわち、ＣＣＤ３８のダイナミックレンジを広げて撮像することで、ネガフィルム１２に記録された複数の画像を画像濃度にかかわらず同一条件で撮像して画像メモリ４４に記憶できる。しかも、ＣＣＤ３８による読み取り濃度分解能を必要以上に高めて撮像することで、ＣＣＤ３８より得られる画像信号レベルの変化量を小さいにも拘わらず撮像された画像の濃度変化を良好に識別できる。従って、前述のように、画像の表示処理及びプリントに必要な所定のレンジ（階調）を決定し、決定したレンジに対応する画像信号を画像メモリ４４から取り出せば、前記ネガ画像の濃度によらず画像の表示又はプリント等を良好に行うことができる。
【００３２】
なお、上記実施の形態では、ＣＣＤ３８で画像を読み取った後に画像の最適化を行ったが、画像の読み取りと最適化処理とを並行して行ってもよい。これによれば、システム全体の処理時間を短縮できる。すなわち、ＣＲＴ５６上でのオペレータによる画像の最適化処理（例えばプリント画像の濃度決定等）にはかかる時間にばらつきが生じるが、前述のように前記最適化処理と並行して撮像を行えば、前記最適化処理に要する時間のばらつき等に起因したプリント動作の速度ムラを吸収でき、システム全体の処理時間を時間を短縮できる。
【００３３】
なお、上記第１の実施の形態では、画像メモリ４４に取り込んだ画像データを、逐次補正し、プリントするようにしたが、画像メモリとしてフレームメモリを複数持ち、予め複数の画像データを取り込んでおき、その後、プリントするようにしてもよい。このような場合、写真プリントシステムとしては、所謂大ラボと称されるシステムが好ましい。以下、第２の実施の形態として、この大ラボシステムの概略を説明する。
（第２の実施の形態）
図４には第２の実施の形態に係る、スキャナ２１１、デジタルプリンタプロセッサ２８０から構成される写真処理システム２１０（大ラボシステム）が示されている。
【００３４】
この写真処理システム２１０では、スプライス部２７２において、数件分のネガフィルム１２を接合してロール状としたネガロール１２Ａが、スキャナ２１１に提供されて測光された後、この測光された画像データがデジタルプリンタプロセッサ２８０に提供されてペーパーロール２８８に焼付けされ、各々１件分のネガフィルム１２とこれに適合する１件分のプリント２９８とが一致されて顧客に返却されるようになっている。なお、測光時の情報は、図示しない記録媒体（ＩＣカード等）を用意し、ネガロール１２Ａと共に搬送している。なお、磁気記録層を持つ新写真処理システムのネガフィルムでは、この磁気記録層に情報を記録してもよい。
【００３５】
図５に示されるように、スキャナ２１１には、測光専用の光源部２２０と、ネガフィルム１２を供給リール２４４から巻取リール２４６へ搬送すると共に所定位置に位置決めするネガキャリア２４８と、ネガフィルム１２上に記録された画像の画像情報を読取解析するセンサ部２３０と、が備えられている。
【００３６】
スキャナ２１１に備えられた測光専用の光源部２２０には、ハロゲンランプ、リフレクタによって構成される光源２２２が備えられている。光源２２２から照射される光線の光軸Ｌの下方に、Ｃ（シアン）、Ｍ（マゼンタ）、Ｙ（イエロー）の各色のカットフィルタ及び光量の調節に用いられるＮＤフィルタから構成されるフィルタ部２２４と光拡散筒２２８とがこの順で配設されている。フィルタ部２２４の各フィルタは、ドライバ２２６からの信号に応じて、光軸Ｌ上へ挿入又は離脱する。
【００３７】
光源部２２０の図５下方には、ネガキャリア２４８が配設されている。ネガキャリア２４８は、長尺状のネガフィルム１２を、測光位置に位置決めすると共に搬送ローラ２５２及びこれの対向する抑えローラ２５４によって挟持して、図５左から右へ搬送するようになっている。また搬送ローラ２５２は、画像コマ検出後、供給リール２４４から巻取リール２４６へ向かう往路搬送時には間欠搬送を行い、巻取リール２４６から供給リール２４４へ向かう復路搬送時には定速搬送するようになっている。
【００３８】
ネガキャリア２４８の略中央であって光源部２２０の光軸Ｌが通過する位置に開口部２５０が設けられ、光軸Ｌがネガキャリア２４８を通過する際に開口部２５０に位置決めされたネガフィルム１２の画像コマを透過して、センサ部２３０に到達できるようになっている。
【００３９】
光学センサ部２６４には図示しない複数のセンサが備えられており、ネガフィルム１２の接合部分であるスプライス部分を検出して１件分のネガフィルム１２を特定するようになっている。
【００４０】
またネガキャリア２４８のネガフィルム１２搬送方向上流側には一対のローラ２６６が備えられ、ネガフィルム１２を安定してネガキャリア２４８へ送り込むようになっている。
【００４１】
センサ部２３０には、露光演算部２３３に接続された濃度センサ２３２が配置されている。濃度センサ２３２により検出された濃度データは、露光演算部２３３に接続されたスキャナ制御部２７０へ入力するようになっている。
【００４２】
この露光演算部２３３では、透過画像のＬＡＴＤ（積算透過濃度）を演算して、スキャナ制御部７０へ送出している。このＬＡＴＤに基づいて、後述するＣＣＤセンサ２３８で読み取られ、画像処理部２３９へ送られた画像データが補正されるようになっている。
【００４３】
ネガキャリア２４８と濃度センサ２３２との間には、光軸Ｌに沿って移動し引伸倍率を変更することができるレンズ２３４と、ネガフィルム１２の透過画像を通過及び反射させるハーフミラー２３６とが配置されている。
【００４４】
ハーフミラー２３６により反射された光軸Ｌ上には、画像処理部２３９に接続されたＣＣＤセンサ２３８が配設され、ネガフィルム１２上の画像を撮像するようになっている。
【００４５】
このＣＣＤセンサ２３８が、前記第１の実施の形態のＣＣＤ３８に相当し、予め、ネガフィルム１２の最も透過光量の大きい部位（ベース濃度域）の検出時でも飽和しないように感度が設定されている。
【００４６】
画像処理部２３９は、キーボード２４１が接続されたモニタ２４０に接続されており、キーボード２４１から入力された補正値により画像情報を補正することができるようになっている。また、画像処理部２３９はスキャナ制御部２７０に接続されており、補正された画像情報がスキャナ制御部２７０へ入力するようになっている。すなわち、このスキャナ制御部２７０には、複数のフレームメモリ２７０Ａを備えており、複数の画像コマの画像データを記憶することができ、一括してこの画像データをデジタルプリンタプロセッサ２８０へ送出するようになっている。
【００４７】
プリンタプロセッサ２８０は、プリント部２８２とプロセッサ部２８４とを有し、プリント部２８２にはマガジン２８６が備えられている。マガジン２８６には、ネガフィルム１２上の画像を焼付けするためのペーパーロール２８８が収納されるようになっている。
【００４８】
プリント部２８２では、半導体レーザから出力される光ビームをポリゴンミラーで反射させ、このポリゴンミラーの回転によって走査（主走査）すると共に、ペーパを定速度で主走査方向と直交する方向（副走査方向）へ搬送しながら、このペーパ上に光ビームを照射している。この光ビームを画像データに基づいて変調することによって、ペーパ上に画像を記録することができる。
【００４９】
プロセッサ部２８４は、発色液、漂白液、リンス液で各々満たされた図示しない処理槽を備えており、焼付処理を終えたペーパーロール２８８を順次、これらの処理槽を通過させて現像処理を行うようになっている。
【００５０】
デジタルプリンタプロセッサ２８０における処理を終えたペーパーロール２８８は、プリント２９８毎に切断された後に各件毎に仕分けされて、スキャナ２１１で１件ごとにされたネガフィルム１２と対応させて顧客に返却されるようになっている。
【００５１】
【発明の効果】
以上説明したように本発明によれば、撮像した画像の濃度等が不適切な場合でも再度条件を変えて撮像を行う必要がなくなり、撮像動作を迅速に行ってシステムの処理能力を向上できる、という優れた効果を有する。
【図面の簡単な説明】
【図１】第１の実施の形態に係る写真焼付装置を示す概略図である。
【図２】第１の実施の形態に係る測光ルーチンを示したフローチャートである。
【図３】第１の実施の形態に係るネガフィルムに記録された画像の濃度値についてのヒストグラムの例を示す線図であり、（Ａ）は画像メモリ内に記憶された画像信号の線図、（Ｂ）は画像メモリから取り出された線図を各々示す。
【図４】第２の実施の形態に係る大ラボ写真処理システムの概略構成図である。
【図５】第２の実施の形態に係るスキャナの概略図である。
【符号の説明】
１０    写真焼付装置（撮像装置）
１２    ネガフィルム（写真フィルム）
３８    ＣＣＤ（撮像手段）
４０    増幅器
４２    Ａ／Ｄ変換器
４４    画像メモリ
４６    演算制御部（決定手段、信号取出手段）
【図１】
0003904635.tif 000002
【図２】
0003904635.tif 000003
【図３】
0003904635.tif 000004
【図４】
0003904635.tif 000005
【図５】
0003904635.tif 000006